Podtech/llm-jp-corpus-v4-ja_patent huggingface dataset:
(57)【要約】【課題】本発明は、簡単な構造で規格値を満たし、且つコンパクトな分電盤を提供することを目的とする。【解決手段】本発明に係る分電盤１は、基台５の底面に電気機器を固定するための機器取り付け台６を設け、機器取り付け台６の機器取り付け面６ａは傾斜を持たせて形成し、基台５の底面に対してブレーカ３を傾斜させて取り付けることを特徴とし、ブレーカ３の寸法を変えることなく配線用寸法の規格値を満たしながら分電盤１をコンパクトに形成する。【選択図】図１
2006340411.tif 000002
【特許請求の範囲】
【請求項１】
キャビネットの基台に主幹ブレーカや分岐ブレーカ等の電気機器を配置し、電気機器は導電バーで接続して構成される分電盤であって、前記基台の底面に前記電気機器を固定するための機器取り付け台を設け、該機器取り付け台の機器取り付け面は傾斜を持たせて形成し、前記基台の底面に対して前記ブレーカを傾斜させて取り付けることを特徴とする分電盤。
【発明の詳細な説明】
【技術分野】
【０００１】
本発明は、キャビネットの基台に主幹ブレーカや分岐ブレーカ等の電気機器を配置し、電気機器は導電バーで接続して構成される分電盤における電気機器の配置に関するものである。
【背景技術】
【０００２】
分電盤３１はキャビネット３２にブレーカ３３等の電気機器を配列して構成される。ブレーカ３３はキャビネット３２の底面に平行に配置していた。分電盤３１のキャビネット３２は、収められる機器の寸法と機器間の接続をするための配線スペースを加えた寸法Ｂを基に選定する。配線スペースは規格等で定められた寸法を確保する。
【非特許文献１】２００５  カワムラ  総合カタログ  電設資材編  平成１７年５月１日発行
【発明の開示】
【発明が解決しようとする課題】
【０００３】
しかしながら、ブレーカ３１をキャビネット３２の底面に平行に配置し、規格に定められた寸法を満たしてキャビネット３２を選定した場合、コンパクトに分電盤３３を収めるには寸法の限界があった。キャビネット３２はある寸法より小さくならないので、分電盤３３の取り付け場所に制限が発生していた。
【課題を解決するための手段】
【０００４】
そこで本発明は、簡単な構造で規格値を満たし、且つコンパクトな分電盤を提供することを目的とし、その構造は、基台の背面に電気機器を固定するための機器取り付け台を設け、機器取り付け台の機器取り付け面は傾斜を持たせて形成し、基台の背面に対してブレーカを傾斜させて取り付けることを特徴とする。
【発明の効果】
【０００５】
本発明に係る分電盤は、基台の底面に電気機器を固定するための機器取り付け台を設け、機器取り付け台の機器取り付け面は傾斜を持たせて形成し、基台の底面に対してブレーカを傾斜させて取り付けるため、分電盤を構成するキャビネット内で省スペース化を図ることができるため、キャビネットの寸法を小さくでき、従来スペースが小さくて取りつけ不可であるような場所にも取り付けが可能となることがあるため、取り付け場所の制約が少なくなる。
【発明を実施するための最良の形態】
【０００６】
分電盤の内部機器を省スペースにて収納し、キャビネットの寸法を抑えるという目的を、簡単な構造で配線スペースを確保しながら実現した。
【実施例１】
【０００７】
本発明に係る分電盤の実施例を図１の添付図面に基づいて説明する。
【０００８】
本発明に係る分電盤１は、キャビネット２に主幹ブレーカや分岐ブレーカ３等の電気機器を収納して構成される。導電バー４等で構成される充電部に両側から分岐ブレーカ３を接続する。キャビネット２は、電気機器を配線するためには規格に定められた配線用寸法に従い大きさが選定される。
【０００９】
キャビネット２の基台５の底面に分岐ブレーカ３を固定するための機器取り付け台６を設ける。機器取り付け台６の上面の機器取り付け面６ａは傾斜を持たせて形成する。機器取り付け面６ａに分岐ブレーカ３を載せ、キャビネット２の底面２ａに対して分岐ブレーカ３を傾斜させて固定する。それに伴い、分岐ブレーカ３間を接続する導電バー４も従来は分岐ブレーカ３の端子部３ａ近傍にて略直角に折曲していたものを、分岐ブレーカ３の固定角度に対向させて鈍角に折曲する。また、分岐ブレーカ３の固定装置も、固定角度に合わせて傾斜を持たせる。
【００１０】
分岐ブレーカ３を傾斜させて固定することで、分岐ブレーカ３の外側の端子部３ｂの位置が分電盤の中央に寄るため、規格に定められた配線用寸法を満たすスペースＡが確保できる。分電盤１上で電気機器が占める面積を縮小し、分電盤１全体の大きさを縮小させるものである。
【実施例２】
【００１１】
図１においては、分岐ブレーカの傾斜角度が側面から見て、導電バーを中央にして略Ｖ字状になっているが、本発明に係る電気機器の配置では、この角度に限定されるものではなく、配列された分岐ブレーカを平行に同方向に傾斜をつけたものや、または、一列の分岐ブレーカのみを傾斜をつけて配置したものでもよく、本発明の分電盤上で電気機器の占める面積を縮小させるという趣旨を逸脱しない範囲において適宜変更可能である。
【産業上の利用可能性】
【００１２】
分電盤に配置される分岐ブレーカを傾斜をつけて固定し、分電盤上の電気機器が占める面積を縮小することによって、分電盤のキャビネットの大きさも縮小させ、分電盤の取り付け面積に制約がある場合にも適用できる。
【図面の簡単な説明】
【００１３】
【図１】本発明に係る分電盤の実施例を示す説明図である。（実施例１）
【図２】従来の分電盤を示す説明図である。
【符号の説明】
【００１４】
１    分電盤
２    キャビネット
３    分岐ブレーカ
３ａ  端子部
３ｂ  端子部
４    導電バー
５    基台
６    機器取り付け台
６ａ  機器取り付け面
【図１】
2006340411.tif 000003
【図２】
2006340411.tif 000004
(57)【要約】  【課題】  指輪をしている者自身が、これまで以上に装飾品を身につけていることの喜びを味わうことができかつ、この指輪をしていることを見た第三者に、好印象が与えられる指輪を提供すること。  【解決手段】  正面に適宜の飾り体を取付けたリング状の指輪本体の背面略々中央に、副飾り体を取付けてなる。  【選択図】  図１
2006340948.tif 000002
【特許請求の範囲】
【請求項１】
正面に適宜の飾り体を取付けたリング状の指輪本体の背面略々中央に、副飾り体を取付けたことを特徴とする指輪
【請求項２】
上記請求項１に示す副飾り体の高さを、リング状指輪本体の縦巾より大きくし、上下端は内方向突出させさたことを特徴とする指輪
【発明の詳細な説明】
【技術分野】
【０００１】
この発明は指輪に関し、特に単に装飾として指輪だけに限らずこれに「機能」作用をもたせた指輪の改良に関する。
【背景技術】
【０００２】
近頃の指輪は、単に装飾品としての指輪に留らず、例えば指輪を利用した装飾品の発明（特許文献１参照）や、組み立て機能を持たせた指輪（特許文献２参照）がなされているが、何れも既成概念に捕らわれたもので、指輪をしている者自身に装飾品としての機能以上の喜びや、この指輪をしていることを見た第三者に、好印象が与えられる発明は皆無であった。
【０００３】
【特許文献１】特開２００４−３１３５７５
【特許文献２】特開２００５−１１０８５６
【発明の開示】
【発明が解決しようとする課題】
【０００４】
而して本発明は、指輪をしている者自身が、これまで以上に装飾品を身につけていることの喜びを味わうことができかつ、この指輪をしていることを見た第三者に、好印象が与えられる指輪を提供しようとするものである。
【課題を解決するための手段】
【０００５】
続いて本発明の特徴は、正面に適宜の飾り体を取付けたリング状の指輪本体の背面略々中央に、副飾り体を取付けたことである。
【０００６】
また、上記副飾り体の高さを、リング状指輪本体の縦巾より大きくし、上下端は内方向突出させさたことも本発明の特徴である。
【発明の効果】
【０００７】
今、本発明の指輪を指に嵌はめる。この場合当然のことながらかかる指輪の飾り体は手の［甲側］位置し、上記副飾り体は、［平側］に位置することになる。
【０００８】
而してかかる指輪の使用者は、指輪の背面にも副飾り体があることで、自分自身でも眺めて気分がよいばかりか他人にも見せて自慢ができ、特に友達や、恋人や、親子や、兄弟と別れる際など手を振れば、必ず手の［平側］を他人にみせることになり、上記副飾り体の存在が、係る別れる相手に知られることとなって、和やかな雰囲気で相手に好印象を与えることができるのである。
【０００９】
なお蛇足ながらこの意味合いで、本発明の指輪は［バイバイリング］と呼ばれ、その普及が大いに期待されていれのである。
【００１０】
また、上記副飾り体の高さを、大きくし上下端は内方向突出させさらに、リングの挿入される指方向に突出させた場合は、かかる突出部が挿入された指の肉部分に少し侵入するような作用をなすので、仮令指に挿入されたリングが緩くとも、該リングが外れる虞がないように工夫されたものである。
【００１１】
なお蛇足ながらこの意味合いで、本発明の指輪は［バイバイリング］と呼ばれ、その普及が期待されているのである。
【発明を実施するための最良の形態】
【００１２】
図１で（１）はリング（２）状の指輪本体で、その正面（３）に図１では［リボン］を施しらった飾り体（４）が、熔着等の手段で取付けられている。
【００１３】
また上記指輪本体（１）の背面（５）部には、図示の例では上記正面（３）の［リボン］と同様形状であるが、これより縮小された形状の［小リボン］の副飾り体（６）が、上記同様熔着等の手段で取付けられている。
【００１４】
この場合飾り体（４）の形状ｏｒ／ａｎｄ模様は、種々のものから適宜選ばれること当然であるが、上記副飾り体（６）は飾り体（４）と同じ形状の外、図３に示すようにハト（６ａ），ネコ（６ｂ），手差し（６ｃ），キリン（６ｄ）などどんな形状のものでも好みのものを選ぶことができる。
【００１５】
また上記副飾り体（６）の高さは、リング（２）の縦巾より小さくとも、大きくともよいが大きい場合その上下端は内方向（リングの挿入される指方向）にリング（２）の巾の厚さより長く突出（７）させてもよい。
【００１６】
而して、本発明の指輪を使用するのに図２では左手（Ａ）薬指にかかる指輪を嵌はめた例を示した。この場合当然のことながら、かかるリング（２）の飾り体（４）は、左手（Ａ）甲側の薬指末端部に位置する。
【００１７】
この結果、上記副飾り体（６）は、左手（Ａ）平側の薬指末端部に位置することになる。
【００１８】
そこでかかる指輪の使用者は、指輪の背面にも副飾り体（６）があることで、自分自身でも眺めて気分がよいばかりか、他人にも見せて自慢ができ、特に友達や恋人や、親子，兄弟と別れる際など、図２のように「手」を振ればかかる副飾り体（６）が、別れる相手に見せることができ、和やかな雰囲気で相手に好印象を与えることができるのである。
【００１９】
なお、上記副飾り体（６）の高さを、大きくし上下端は内方向突出（７）させさらに、リングの挿入される指方向に突出（７）させた場合は、かかる突出（７）部が挿入された指の肉部分に少し侵入するような作用をなすので、仮令指に挿入されたリング（２）が緩くとも該リング（２）が外れる虞がないのである。
【図面の簡単な説明】
【００２０】
【図１】本発明指輪の実施例の斜視図
【図２】同使用状態説明図
【図３】各種副飾り体の正面図
【図４】副飾り体を取付けたリングの断面説明図
【符号の説明】
【００２１】
１    指輪本体
２    リング
３    正面  
４    飾り体
５    背面
６    副飾り体  
６ａ  ハト
６ｂ  ネコ
６ｃ  手差し
６ｄ  キリン
７    突出
【図１】
2006340948.tif 000003
【図２】
2006340948.tif 000004
【図３】
2006340948.tif 000005
【図４】
2006340948.tif 000006
(57)【要約】【課題】動物の爪切り練習を好適にすることができる爪切り練習用爪を提供する。【解決手段】動物の爪切り練習に用いられる爪切り練習用爪１であって、動物の爪の形態を模した樹脂製の爪部材１１の内部に空洞部１２が設けられ、この空洞部１２に模擬血液Ａが充填されている。また、空洞部１２は、爪部材１１の内部の一定深さに設けられており、練習者がこの一定限度を超えて爪部材１１をカットした場合に模擬血液Ａが流出する。【選択図】  図１
2006340850.tif 000002
【特許請求の範囲】
【請求項１】
動物の爪切り練習に用いられる爪切り練習用爪であって、
動物の爪の形態を模した爪部材の内部に空洞部が設けられ、この空洞部に模擬血液が充填されていることを特徴とする爪切り練習用爪。
【請求項２】
前記爪部材は、研ぐことができる硬さを有することを特徴とする請求項１記載の爪切り練習用爪。
【発明の詳細な説明】
【技術分野】
【０００１】
本発明は、動物の爪の手入れ技術を向上させるために用いられる爪切り練習用爪に関する。
【背景技術】
【０００２】
従来から、トリマーやトリミングの練習生等が犬の爪切り技術向上のための練習をする場合の教材としては、実物の犬を用いていた。
【０００３】
しかし、実物の犬を使用した場合は、使用料が高価となってしまう。また、一度爪を切れば、再び伸びるまでに時間がかかるといった欠点がある。さらに、深く爪を切りすぎたり、肉を傷付けてしまうと、損害が発生することにもなりかねないといった問題がある。
【０００４】
ところで、人間の爪に関しては、ネイリストが、ネイルケアの練習をするためのネイルケア練習具が提案されている（例えば、特許文献１参照。）。
【０００５】
このネイルケア練習用具は、原寸大の手または足の模型に着脱自在な爪を設けたものである。
【特許文献１】特開２０００−３３３７３１号公報
【発明の開示】
【発明が解決しようとする課題】
【０００６】
しかしながら、上記した特許文献１に記載したネイルケア練習用具は、あくまでも人間の爪が練習対象であって、人の爪にマニキュア液を塗布するネイルケアサービスの技術向上を目的とするものである。したがって、人と動物とでは、爪や手の形状が異なり、また、手足の動作が異なるため、このネイルケア練習用具を犬や猫などの動物の爪切り練習に流用するのは不適切である。
【０００７】
本発明は、このような事情に鑑み創案されたもので、動物の爪切り練習を好適に行うことができる爪切り練習用爪を提供するものである。
【課題を解決するための手段】
【０００８】
上記の目的を達成するため、本発明は、動物の爪切り練習に用いられる爪切り練習用爪であって、動物の爪の形態を模した爪部材の内部に空洞部が設けられ、この空洞部に模擬血液が充填されていることを特徴とする。
【０００９】
この発明によれば、爪部材に模擬血液が充填されているので、この模擬血液が充填された箇所までカットすると、内部の模擬血液が流出するため、練習者が爪切り練習用爪を深く切りすぎたことを認識することができる。したがって、実際に爪を切るときと同様の緊張感を持って、効果的な爪切り練習をすることが可能になる。
【００１０】
本発明は、上記構成の爪切り練習用爪において、前記爪部材は、研ぐことができる硬さを有することを特徴とする。
【００１１】
この発明によれば、爪切り練習とともに、爪研ぎ練習をも行うことができるので、動物の爪の手入れ練習を総合的に行うことができる。
【発明の効果】
【００１２】
本発明は、動物の爪切り練習を好適にすることができるといった効果を奏する。
【発明を実施するための最良の形態】
【００１３】
以下、本発明の実施の形態について、図面を参照して説明する。
【００１４】
図１には、本発明の実施の形態に係る爪切り練習用爪１が示されている。
【００１５】
この爪切り練習用爪１は、動物の爪の形態を模した樹脂製の爪部材１１の内部に空洞部１２が設けられ、この空洞部１２に模擬血液Ａが充填されたものである。
【００１６】
空洞部１２は、爪部１１の内部の一定深さに設けられており、練習者がこの一定限度を超えて爪部材１１をカットした場合に模擬血液Ａが流出するように図られている。
【００１７】
また、爪部材１１は、研ぐことができる程度の硬さに形成し、爪研ぎ練習もできるようにすることが好ましい。
【００１８】
模擬血液Ａは、例えば赤インクなどの赤色の液体で構成されており、練習者が実物の犬の爪を切っているのと同様な緊張感を持って練習できるように図られている。
【００１９】
次に、上記構成の爪切り練習用爪１の使用方法について説明する。
【００２０】
この爪切り練習用爪１は、例えば図２に示すような犬の形態を模したトリミング練習具２に取り付けて用いられる。
【００２１】
このトリミング練習具２は、動物の形態を模した型本体３と、動物の毛または人工の毛が植毛された外装布４とからなり、外装布４が型本体３の外面に着脱可能に設けられたものである。また、型本体３の四肢の先端に設けられている足先部５は、着脱可能に構成されており、この足先部５に爪切り練習用爪１が取り付けられている。
【００２２】
なお、外装布４は、足先部５の先端側が露出するように形成されている。
【００２３】
次に、上記構成の爪切り練習用爪１の使用方法について説明する。
【００２４】
練習者は、トリミング練習具２の足先部５に取り付けられた爪切り練習用爪１を空洞部１２まで切り取らないように注意しながらカットすることにより、爪切り練習を行う。
【００２５】
空洞部１２までカットしてしまった場合は、模擬血液Ａが流出してしまうため、失敗したことを強く認識することができる。
【００２６】
そして、爪切り練習をした後は、足先部５を型本体３の四肢の先端から抜いて取り外し、未使用の足先部５を取り付ければ、再び爪切り練習をすることができる。
【００２７】
以上、本発明の爪切り練習用爪１について、トリミング練習具２に適用した場合について説明したが、この爪切り練習用爪１は、上記したトリミング練習具２に使用されるものに限定されるものではなく、例えば、土台に足先のみを取り付けた爪切り練習用具に用いてもよい。また、犬の爪切り練習に限定されるものではなく、その他の動物、例えば、猫やうさぎ等であってもよい。
【産業上の利用可能性】
【００２８】
本発明は、動物の爪切り練習を好適にすることができる爪切り練習用爪に適用できる。
【図面の簡単な説明】
【００２９】
【図１】本発明に係る爪切り練習用爪を示す側面図である。
【図２】本発明に係る爪切り練習用爪を用いたトリミング練習具の外観を示す概略図である。
【図３】本発明に係る爪切り練習用爪を用いたトリミング練習具の足先部を示す概略図である。
【符号の説明】
【００３０】
１    爪切り練習用爪
１１  爪部材
１２  空洞部
２    トリミング練習具
Ａ    赤インク（模擬血液）
【図１】
2006340850.tif 000003
【図２】
2006340850.tif 000004
【図３】
2006340850.tif 000005
(57)【要約】【課題】デジタルオーディオプレイヤーを人形がヘッドフォンで聞いているように見せると共にその音楽を拡声再生する。【解決手段】人形に装着されている擬似的なヘッドフォンの一部である３．５φ標準ステレオプラグ１に接続された引き込みリード線８を人形内に引き込み、その箇所を外観上、ヘッドフォンの形態を維持するためにリード線引き込み部ケース２で覆い、引き込みリード線８の端子を人形に内蔵されたアンプに直接接続することにより、その３．５φ標準ステレオプラグを入力端子とすることができ、デジタルオーディオプレイヤーなどの３．５φヘッドフォンジャックが接続可能となり、デジタルオーディオプレイヤーのコンパクト性も活かされ、人形がいかにもデジタルオーディオプレイヤーで音楽を聞いているように見せると共に、音楽を拡声して聞く事ができるように工夫した。【選択図】        図１
2006340892.tif 000002
【特許請求の範囲】
【請求項１】
人形に装着された擬似的なヘッドフォンの一部である３．５φ標準ステレオプラグをアンプの入力端子とすることを特徴としたアンプ付きスピーカー内蔵人形。
【発明の詳細な説明】
【技術分野】
【０００１】
本発明は、人形に装着されている擬似的なヘッドフォンの一部である３．５φ標準ステレオプラグに接続されたリード線の反対側端子を人形に内蔵されたアンプに直接接続することにより、その３．５φ標準ステレオプラグを入力端子とすることができ、デジタルオーディオプレイヤーなどの３．５φヘッドフォンジャックが接続可能となり、デジタルオーディオプレイヤーのコンパクト性も活かされ、人形がいかにもヘッドフォンでデジタルオーディオプレイヤーの音楽を聞いているように見せると共に、且つ、音楽を拡声して聞く事ができるように工夫した、デジタルオーディオプレイヤー用アンプ付きスピーカー内蔵の人形である。
【背景技術】
【０００２】
従来からのデジタルオーディオプレイヤー用アンプ付きスピーカーはスピーカーとしての機能またデザインを重点に思考した製品がほとんどである。
【０００３】
従って、音楽を聴くという目的には機能的に十分であるが精神的な感情価値としての、「癒し」「安らぎ」「楽しさ」などを与えるには不十分であった。
【０００４】
また、アンプ付きスピーカー内蔵の人形体においても、人形から単にプラグ付きリード線を出し、デジタルオーディオプレイヤーのジャックに接続する形態であった。
【特許文献１】特になし
【非特許文献１】特になし
【発明の開示】
【発明が解決しようとする課題】
【０００５】
解決しようとする課題は、デジタルオーディオプレイヤーを人形がヘッドフォンで聞いているように見せると共にその音楽を拡声再生することにより、音楽を聴く楽しさに加え、「癒し」「安らぎ」「楽しさ」という精神的な感情を与えることである。
【課題を解決するための手段】
【０００６】
本発明は、人形にデザイン的に装着された疑似ヘッドフォンの一部となる３．５φ標準ステレオプラグにリード線を付け、ヘッドフォンの形態を維持するべく、そのリード線引き込み部を外部から見えにくくなるような構造で覆い、人形本体内に引き込み、アンプ回路の入力端子に接続することにより、人形がいかにもヘッドフォンで音楽を聞いているように見せると共に、スピーカーから拡声した音楽を聴くことができるようにしたことを特徴とする。
【発明の効果】
【０００７】
人形の疑似ヘッドフォンの３．５φ標準ステレオプラグにデジタルオーディオプレイヤーを装着した時に、外観上、人形が一緒にヘッドフォンで音楽を聴いているように錯覚させることができ、音楽を聴く楽しさに加え、聞くものに精神感情としての「癒し」「安らぎ」「楽しさ」などの効果を与えることができる。
【発明を実施するための最良の形態】
【０００８】
本発明は３．５φ標準ステレオプラグのリード線を外観上、ヘッドフォンの形態を維持したまま人形内に引き込む必要が有り、人形のリード線引き込み箇所にカバー、又はケースなどを設け、且つ、そのカバー又はケースなどがヘッドフォンの一部と見なされる形態であることが最良である。
【実施例１】
【０００９】
図１〜３は、本発明装置の１実施例である。１は疑似ヘッドフォンの外観的役割とアンプへの入力端子の役割を持つ３．５φの標準ステレオプラグである。
【００１０】
２は疑似ヘッドフォンの外観形態をなすための一部品であり、且つ、３．５φの標準ステレオプラグ１からの引き込みリード線８を人形９体内に引き込む箇所を外観的に見えないようにするためのカバーの役割を持つリード線引き込み部ケースである。
【００１１】
３、４は疑似ヘッドフォンをなすための一部品である、疑似ヘッドフォンスピーカー部３、及び疑似ヘッドフォンコード部４である。
【００１２】
５，６，７は入力信号を拡声するためのアンプ回路部５、スピーカー６、及びアンプスピーカー間リード線７であり、構成としてはモノラル再生又はステレオ再生が考えられる。
【００１３】
１０はデジタルオーディオプレイヤーであり、図３はデジタルオーディオプレイヤー１０装着時のイメージ図である。
【実施例２】
【００１４】
図４は人形がデジタルオーディオプレイヤー１０から入力された音楽に合わせて踊る機構を組み込んだ応用実施例であり、１１は動作指示回路部、１２は動作機構部である。
【００１５】
デジタルオーディオプレイヤー１０から入力された音楽信号を動作指示回路部１１において動作信号に変換し、人形９の手や足に繋がる動作機構部１２を音楽に合わせて動かすものである。
【産業上の利用可能性】
【００１６】
現在、市場に出荷されているデジタルオーディオプレイヤーはすでに数百万台になっており、そのデジタルオーディオプレイヤーの家庭内での再生スピーカーも大きな市場になりつつあり、本発明商品はその中でも差別化された市場を形成するものである。
【図面の簡単な説明】
【００１７】
【図１】実施方法を示した構造説明図である。（実施例１）
【図２】実施方法を示した正面図である。（実施例１）
【図３】デジタルオーディオプレイヤー装着時を示した説明図である。（実施例１）
【図４】音楽に合わせて踊る機構を組み込んだ応用実施例である。（実施例２）
【符号の説明】
【００１８】
１    ３．５φ標準ステレオプラグ
２    リード線引き込み部ケース
３    疑似ヘッドフォンスピーカー部
４    疑似ヘッドフォンコード部
５    アンプ回路部
６    スピーカー
７    アンプ回路、スピーカー間リード線
８    引き込みリード線
９    人形
１０  デジタルオーディオプレイヤー
１１  動作指示回路部
１２  動作機構部
【図１】
2006340892.tif 000003
【図２】
2006340892.tif 000004
【図３】
2006340892.tif 000005
【図４】
2006340892.tif 000006
(57)【要約】【課題】  セービング状態からの復帰条件のシリアル信号をビット位置補正し、復帰時の立上がりタイミングずれにより生じるシリアル信号のビット損失を許容することでビット受信損失の影響を受けることが無い信頼性の高いハンズフリー機器におけるセービング解除方法を提供する。【解決手段】  携帯移動機の外部接続端子を利用して、有線ケーブルにて接続するハンズフリー機器のセービング解除方法において、有線ケーブルのシリアル信号を通し携帯移動機の状態変化を監視し、セービング状態から復帰させる際に発生する立上がりタイミングずれによるシリアル信号受信ビット損失を、ＭＰＵソフトウェアにてビット位置補正するようにした。【選択図】        図２
2006340122.tif 000002
【特許請求の範囲】
【請求項１】
携帯移動機の外部接続端子を利用して、有線ケーブルにて接続するハンズフリー機器のセービング解除方法において、
有線ケーブルのシリアル信号を通し携帯移動機の状態変化を監視し、セービング状態から復帰させる際に発生する立上がりタイミングずれによるシリアル信号受信ビット損失を、ＭＰＵソフトウェアにてビット位置補正するようにしたことを特徴とするハンズフリー機器におけるセービング解除方法。
【発明の詳細な説明】
【技術分野】
【０００１】
本発明は、ハンズフリー機器におけるセービング解除方法に関し、特に、ハンズフリー本体の省電力化を図り温度上昇を抑えるためのセービング状態から復帰する際、立上がり時に発生するタイミングずれによって生じるシリアル受信のビット損失を補うようにしたハンズフリー機器におけるセービング解除方法に関するものである。
【背景技術】
【０００２】
従来のハンズフリー機器におけるセービング解除方法では、ある一定期間における無線通信状態の経過後、セービング状態に遷移し、このセービング状態から復帰する条件として、ＰＤＣ(Personal Digital Cellular) 移動機からのシリアル信号受信をトリガに無条件にセービング状態から復帰している。
【発明の開示】
【発明が解決しようとする課題】
【０００３】
しかし、近年ＰＤＣ移動機の機能拡張等に伴い各種様々な状態通知するためのシリアル信号が付加されている。このためシリアル信号受信データの内容を適切に判断し復帰する必要があり、従来のセービング解除方法では復帰時の立上がりタイミングのずれにて先頭のシリアル信号のビット受信損失する恐れがあるという問題点がある。図４は従来の問題点を示す説明図であり、シリアル信号（ａ）のスタートビットに対し、（ｂ）で示すＭＰＵの立上がりタイミングにズレが生じ、その結果、（ｃ）に示すＭＰＵシリアル受信起動タイムチャートに示すように、立上がりタイミングの遅延によりスタートビット検出が不可能となる領域が生じ、シリアル受信データを損失する恐れがある。
【０００４】
本発明は、上述した従来の問題点を解決するためになされたものであり、セービング状態からの復帰条件のシリアル信号をビット位置補正し、復帰時の立上がりタイミングずれにより生じるシリアル信号のビット損失を許容することでビット受信損失の影響を受けることが無い信頼性の高いハンズフリー機器におけるセービング解除方法を提供することを目的としている。
【課題を解決するための手段】
【０００５】
上述した課題を解決するため、本発明は、携帯移動機の外部接続端子を利用して、有線ケーブルにて接続するハンズフリー機器のセービング解除方法において、有線ケーブルのシリアル信号を通し携帯移動機の状態変化を監視し、セービング状態から復帰させる際に発生する立上がりタイミングずれによるシリアル信号受信ビット損失を、ＭＰＵソフトウェアにてビット位置補正するようにしたことを特徴とする。
【発明の効果】
【０００６】
本発明によれば、セービング状態からの復帰条件のシリアル信号をビット位置補正し、復帰時の立上がりタイミングずれにより生じるシリアル信号のビット損失を許容することでビット受信損失の影響を受けることが無く、信頼性を高めることができるという効果を奏する。
【発明を実施するための最良の形態】
【０００７】
以下、本発明の実施の形態を図面を用いて説明する。
図１は本発明の実施の形態におけるシリアルデータビット受信処理の手順を示す説明図である。
【０００８】
図４に示したセービング復帰のトリガであるシリアル通信（ａ）が発生した時点で、受信ＣＬＫを通信レートに合わせて起動し（Ａ）、該ＣＬＫの立上がりエッヂＴ１にてシリアル受信データＤａｔａを１ビット単位で受信データ格納領域メモリＭに取り込む（Ｂ）。ここでＭａが補正用ビットである。
【０００９】
ビットデータ取込みの際は、ビット属性を意識することなく受信ビット数をカウントし、受信データ格納領域メモリＭに取り込み、指定ビット数受信完了時点でデータ判定用テーブルＴにデータを設定する（Ｃ）。
【００１０】
データ判定用テーブルに受信データを格納後、図２に示すビット位置補正アルゴリズムに従い、データ判定を行う。以下説明する。
【００１１】
まず、先頭データビット（ＬＳＢ）がスタートビット（０）であるか否かを判定し（Ｓ１）、肯定的である場合は（Ｓ１、Ｙｅｓ）、パリティビット位置を判定することで補正判定条件に合致するか否かを判定する（Ｓ２）。結果が肯定的である場合は（Ｓ２、ＯＫ）、該当する任意データの有無を判定し（Ｓ３）、該当がある場合は（Ｓ３、該当有り）、セービング状態から復帰する（Ｓ４）。
【００１２】
ステップＳ１、Ｓ２において、判定結果が否定的である場合は（Ｓ１、Ｎｏ，Ｓ２，ＮＧ））、図３に示すスライドウィンドウによるビット位置補正を行い（Ｓ５）、タイミングずれにて発生したビット損失を補いデータを有効化し、ビット位置補正後におけるパリティ判定を行う（Ｓ６）。この結果が肯定的である場合は（Ｓ６、ＯＫ）、ステップＳ３に移行し、否定的である場合は（Ｓ６、ＮＧ）、セービング状態を維持する（Ｓ７）。
【００１３】
なお、図３において、１１はスライドウィンドウを示し、１２はスライドウィンドウのシフトによるビット位置補正を表し、１３はスライド前の先頭位置を表し、１４はスライド後の先頭位置を表し、１５はスタートビットの補正ビットを表している。
【００１４】
本発明の実施の形態によれば、タイミングずれによりビット損失が発生してもシリアルビット位置をソフトウェアで補正することでデータ有効部分を適切に抽出することでセービング状態からの復帰判定を維持しリアルタイムな復帰処理を可能にすることができる。
【図面の簡単な説明】
【００１５】
【図１】本発明の実施の形態におけるシリアルデータビット受信処理の手順を示す説明図である。
【図２】本発明の実施の形態の動作を示すフローチャートである。
【図３】ビット補正用スライドウィンドウの処理を示す図である。
【図４】従来の復帰立上りタイミングのズレで生じるシリアル信号受信損失を示す説明図である。
【符号の説明】
【００１６】
Ｔ１  ビット取込用立上りエッヂ、Ｍ  受信データ格納領域メモリ、Ｔ  データ判定用テーブル。
【図１】
2006340122.tif 000003
【図２】
2006340122.tif 000004
【図３】
2006340122.tif 000005
【図４】
2006340122.tif 000006
(57)【要約】【課題】  ハンズフリー装置の電源が絶たれた時に、携帯電話機の電源はＯＮの状態にしかできないという仕様のもとで設計されたものでも、簡単なハード構成を付加することにより、容易にＯＦＦとすることができるハンズフリー装置の携帯電話機電源制御回路を提供する。【解決手段】  ハンズフリー装置の電源ＯＮ状態の時には、ソフトウェアにより携帯電話機の電源制御端子を“Ｈ”または“Ｌ”に制御して携帯電話機の電源制御を可能とし、かつハンズフリー装置の電源ＯＦＦ状態の時には、ハード構成にて制御端子を“Ｌ”とすることにより携帯電話機の電源をＯＦＦする。【選択図】        図１
2006340123.tif 000002
【特許請求の範囲】
【請求項１】
ハンズフリー装置の電源ＯＮ状態の時には、ソフトウェアにより携帯電話機の電源制御端子を“Ｈ”または“Ｌ”に制御して携帯電話機の電源制御を行い、かつハンズフリー装置の電源ＯＦＦ状態の時には、ハード構成にて電源制御端子を“Ｌ”とすることにより携帯電話機の電源をＯＦＦするハンズフリー装置の携帯電話機電源制御回路。
【発明の詳細な説明】
【技術分野】
【０００１】
本発明は、ハンズフリー装置と携帯電話機をケーブル接続し、ハンズフリー装置から携帯電話機の電源をＯＮ／ＯＦＦ制御するンズフリー装置の携帯電話機電源制御回路に関し、特に、ハンズフリー装置の電源が絶たれた時に、携帯電話機の電源をＯＦＦにすることを可能としたハンズフリー装置の携帯電話機電源制御回路に関するものである。
【背景技術】
【０００２】
図２は従来のハンズフリー装置を携帯電話機に接続した状態でハンズフリー装置の携帯電話機電源制御回路を示す図である。
【０００３】
図２において、１はハンズフリー装置、２は接続ケーブル、３は携帯電話機、４はカーアダプタ、５はＵＤＣコネクタである。ハンズフリー装置１は、ＭＰＵ６、音声コーディック７、電源レギュレータ１０、トランジスタ８，９を備える。携帯電話機３は、ＭＰＵ１１、音声コーディック１２を備える。
【０００４】
図２に示すようにハンズフリー装置と携帯電話機は、接続ケーブルを接続することによりハンズフリー動作が可能となる。また携帯機操作部制御信号Ｓ１と携帯機操作部制御信号Ｓ２は、携帯電話機の電源制御を行なう制御信号であり、図３に示した論理にて電源ＯＮ／ＯＦＦ制御を行なう。
【０００５】
具体的には、携帯電話機の電源ＯＮ動作は、ＭＰＵのＩ／Ｏ１とＩ／Ｏ２をそれぞれ“Ｌ”出力とすれば、トランジスタ８とトランジスタ９を介して携帯機操作部制御信号Ｓ１と携帯機操作部制御信号Ｓ２は“ＨｉＺ”となり、携帯電話機はＯＮ状態になる。またＭＰＵのＩ／Ｏ２を“Ｈ”とすれば、携帯機操作部制御信号Ｓ２は“Ｌ”となり、携帯電話機はＯＦＦ状態となる。
【０００６】
ハンズフリー装置の電源が絶たれた時の携帯電話機の電源状態仕様は、ハンズフリー製造メーカにより異なり、ハンズフリー装置の電源が絶たれたとき、携帯電話機の電源はＯＮのままとする仕様のメーカもあれば、電源ＯＦＦとするメーカもある。
【発明の開示】
【発明が解決しようとする課題】
【０００７】
しかし、図２に示す従来の回路では、ハンズフリー装置の電源が絶たれれば、ＭＰＵのＩ／Ｏ１とＩ／Ｏ２は、“ＨｉＺ”となりトランジスタのベースはプルダウン抵抗により“Ｌ”となりトランジスタのコレクタは“ＨｉＺ”となる。その結果、携帯機操作部制御信号Ｓ１と携帯機操作部制御信号Ｓ２は“ＨｉＺ”となり携帯電話機の電源はＯＮのままである。
【０００８】
このように図２に示す従来の回路では、ハンズフリー装置の電源が絶たれれば、携帯電話機の電源もＯＦＦするという要求仕様があった場合には対応できないという問題があった。
【０００９】
本発明は、ハンズフリー装置の電源が絶たれた時に、携帯電話機の電源はＯＮの状態にしかできないという仕様のもとで設計されたものでも、簡単なハード構成を付加することにより、容易にＯＦＦとすることができるハンズフリー装置の携帯電話機電源制御回路を提供することを目的とする。
【課題を解決するための手段】
【００１０】
上述した課題を解決するため、本発明は、ハンズフリー装置の電源ＯＮ状態の時には、ソフトウェアにより携帯電話機の電源制御端子を“Ｈ”または“Ｌ”に制御して携帯電話機の電源制御を可能とし、かつハンズフリー装置の電源ＯＦＦ状態の時には、ハード構成にて制御端子を“Ｌ”とすることにより携帯電話機の電源をＯＦＦする。
【発明の効果】
【００１１】
本発明によれば、ハンズフリー装置の電源が絶たれた時に、携帯電話機の電源はＯＮの状態にしかできないという仕様のもとで設計されたものでも、簡単なハード構成を付加することにより、容易にＯＦＦとすることができるという効果を奏する。
【発明を実施するための最良の形態】
【００１２】
以下、本発明の実施の形態を図面を用いて説明する。
【００１３】
図１は、本発明の構成を示すブロック図であり、図２と同一符号は図２と同一又は相当物を示し、ここでの説明を省略する。
本実施の形態では、携帯機操作部制御信号Ｓ２ラインにダイオードＣＲ１とプルダウン抵抗Ｒ１を追加し、ダイオードＣＲ１のカソード側にＶＣＣ−ＨＦが加わる構成とした。
【００１４】
これによりハンズフリー装置の電源ＯＮ時には、ＣＲ１のカソードにＶＣＣ−ＨＦが加わるため携帯機操作部制御信号Ｓ２ラインは、プルダウン抵抗Ｒ１の影響を受けず、携帯機操作部制御信号Ｓ２の制御は、従来の回路と同様に“Ｈ”と“Ｌ”の出力は可能となる。
【００１５】
また、ハンズフリー装置の電源が絶たれると、ダイオードＣＲ１のカソードにはＶＣＣ−ＨＦは加わらなくなるので、ダイオードＣＲ１は導通し、抵抗Ｒ１に電流が流れ携帯機操作部制御信号Ｓ２は“Ｌ”となり携帯電話機の電源はＯＦＦの状態に制御可能となる。
【００１６】
本発明の実施の形態により、ハンズフリー装置の電源を絶った時には、携帯電話機の電源はＯＮの状態にしかできないという問題点を解決し、ダイオードと抵抗の簡易な部品構成にて、ハンズフリー装置の電源が絶たれた時に携帯電話機の電源をＯＦＦとするという要求に対応できる。
【００１７】
また、ハンズフリー装置に電源が入っている時、携帯機操作部制御信号Ｓ２端子には、携帯電話機のＶＣＣ−ＰＤＣまで電圧がかけられるが、ハンズフリー装置側ＶＣＣ−ＨＦ電圧より携帯電話機ＶＣＣ−ＰＤＣ電圧が低い場合でも、ダイオードＣＲ１が逆バイアスとなるので、過電圧入力による携帯電話機側ＩＣのラッチアップを防ぐことができる。
【図面の簡単な説明】
【００１８】
【図１】本発明の実施の形態におけるハンズフリー装置を携帯電話機に接続した状態においてハンズフリー装置の携帯電話機電源制御回路を示す図である。
【図２】従来のハンズフリー装置の携帯電話機電源制御回路を示す図である。
【図３】電源ＯＮ／ＯＦＦ制御論理を示すテーブルである。
【符号の説明】
【００１９】
１  ハンズフリー装置、２  接続ケーブル、３  携帯電話機、４  カーアダプタ、５  ＵＤＣコネクタ、６  ＭＰＵ、７  音声コーディック、１０  電源レギュレータ、８，９  トランジスタ、ＣＲ１  ダイオード、Ｒ１  プルダウン抵抗。
【図１】
2006340123.tif 000003
【図２】
2006340123.tif 000004
【図３】
2006340123.tif 000005
(57)【要約】【課題】（イ）育苗農作物や農作物間の狭い場所の雑草を取る時鎌では、農作物を傷つけてしまう。（ロ）しゃがんでの作業時間が長いので腰を悪くしてしまう。【解決の手段】（イ）金属板に複数の鋭角三角形を作り、かえり、ひねり、そり、を付ける事で挿して引きながら捻る、少ない動作で雑草を取ることができる。（ニ）発明器具の、そり，かえし、ひねりの大きさ、角度を変え、長い柄をつければ立ったまま作業ができる。【選択図】図２
2006340699.tif 000002
【特許請求の範囲】
【請求項１】
金属板の先を鋭角に切断し  その先端部に三角形を複数作り、三角形の一辺をかえりとし、かえしと、もう一辺に刃をつけ、金属板に捻りと反りを加えるかえりと、捻りと、そりを特徴とする雑草引く抜き具。
【請求項２】
請求項１の雑草引き抜き具の、そりの角形角度や、三角形の大きさを変えて長い柄をつけることで立ったままでも、雑草取取りの出来る、雑草引き抜き具。
【発明の詳細な説明】
【技術分野】
【０００１】本発明は金属板上に鋭角三角形を作り、かえし、ひねり、反りをつけた、雑草引き抜き具に関するものである。
【背景技術】
【０００２】従来は雑草取りには鎌によるか、しゃがんで手で取ることが一般てきである。
【発明の開示】
【発明が解決しようとする課題】
【０００３】その為に、次のような問題点があった。
（イ）育苗農作物や農作物間の狭い場所の雑草を取る時鎌では農作物を傷つけてしまう。
（ロ）しゃがんでの作業時間が長いので腰を悪くしてしまう。
【課題を解決するための手段】
【０００４】（イ）金属板に複数の鋭角三角形作り、かえり、ひねり、反りを付けたかえり、ひねり、反りを特徴とする、雑草引く抜き具である。
（ロ）反りとひねり、の角度を変え長い柄を付ける。
【発明の効果】
【０００５】（イ）小さな動作で雑草をぬくことができるので農作物を傷つけることが少ない。
（ハ）立ったままで、作業することが出来る。
【本発明を実施するための最良の形態】
【０００６】以下本発明の実施の形態について説明する。
（イ）金属板に設けた、三角形のかえしの部分に草の主根部を引っかけて抜く。
（１）金属板を縦に握る。
（２）草の根元の奥付近に挿し込む。
（３）金属板を横にひねりながら引く。
（４）根元からそっくり抜ける。
（５）小さく弱い主根や、ひげ根は、切断することが出来る。
（ロ）長い柄をつけた時、そりの角度を大きく変える事で立ったまま（２）（３）の動作をすると、雑草を取ることができる。
【図面の簡単な説明】
【０００７】
【図１】本発明の展開図
【図２】本発明の正面図
【図３】本発明の側面図
【符号の説明】
【０００８】１．中心線
２．折り込み
３．折り返し
４．かえし
５．刃
６．みぞ
７．握り
【図１】
2006340699.tif 000003
【図２】
2006340699.tif 000004
【図３】
2006340699.tif 000005
【手続補正書】
【提出日】平成17年7月15日(2005.7.15)
【手続補正１】
【補正対象書類名】特許請求の範囲
【補正対象項目名】請求項１
【補正方法】変更
【補正の内容】
【請求項１】
金属板の先端を鋭角に切断し、その先端部に三角形を複数作り、三角形の一辺をかえりとし、かえりともう一辺に刃をつけ、金属板に捻りと、反りを加える、かえりと、捻りと、反りを特徴とする雑草引き抜き具。
【手続補正２】
【補正対象書類名】特許請求の範囲
【補正対象項目名】請求項２
【補正方法】変更
【補正の内容】
【請求項２】
請求項１の雑草引き抜き具の、そりの角度や、三角形の大きさを変えて長い柄をつけることで立ったままでも、雑草取りの出来る、雑草引き抜き具。
【手続補正３】
【補正対象書類名】明細書
【補正対象項目名】０００４
【補正方法】変更
【補正の内容】
【０００４】（イ）金属板に複数の鋭角三角形を作り、かえり、捻り、反りを付けたかえり、捻り、反りに因って雑草を抜く。
（ロ）反りと捻り、の角度を変え長い柄をつける。
【手続補正４】
【補正対象書類名】明細書
【補正対象項目名】０００６
【補正方法】変更
【補正の内容】
【０００６】以下本発明の実施の形態についで説明する。
（イ）  金属板の、先端に設けた三角形のかえしの部分に草の主根を引っかけて抜く。
（１）  金属板を縦に握る。
（２）  草の根元の奥近くに挿し込む。
（３）  金属板を横にひねりながら引く。
（４）  根元からそっくり抜ける。
（５）  小さく弱い主根や、ひげ根は、切断することが出来る。
（ロ）  極めて小さい雑草や大きい雑草は、大きい三角形で取る。
（１）  極めて小さい雑草は、大きい三角形の刃で、軽く地面を撫でる様にすると三角形の反り、の為に剃るように草の根元を切り、少し力を入れると土ごと削りとり、雑草は根こそぎ取れる。
（２）  大きい雑草は大きい三角形の、かえりの部分で切る、雑草の根元の奥に、大きい三角形の、かえり部分を持って行き、引く事によりかえりに付けた反りのため、地中に潜り込み、深い位置で切ることが出来る、三角形が大きいから草に負けることなく切るか、抜く事が出来る。
（ハ）  長い柄をつけた時、そりの角度を大きく変える事で立ったままで（イ）、（２）、（３）の動作をすると、雑草を取ることができる。
【手続補正５】
【補正対象書類名】明細書
【補正対象項目名】０００７
【補正方法】変更
【補正の内容】
【０００７】
【図１】本発明の展開図
【図２】本発明の正面図
【図３】本発明の側面図
【図４】本発明の右側面図
【手続補正６】
【補正対象書類名】図面
【補正対象項目名】図４
【補正方法】追加
【補正の内容】
【図４】
2006340699.tif 000006
(57)【要約】      （修正有）【課題】ゴボウ、人参などを洗浄、皮むき作業を一回の通しで完了でき、水、エネルギーの節約が望める、高圧ノズル旋回ユニットを提供する。【解決手段】物体の周りに複数のノズル９Ａを旋回させながら、高圧水を噴射するユニットとしたので、物体を一回のみ通す事により、物体の表面全体に均一に高圧水を噴射し、洗浄、皮むきの作業を効率良く行え、水資源、省エネルギーも期待できる。【選択図】図１
2006340700.tif 000002
【特許請求の範囲】
【請求項１】
中空の円筒本体に回転するリング状の円盤を有し、回転リングの端面上に取り付けた、複数個のノズルブロックの高圧ノズルより、リング回転の中心方向に向かって、リングを外部の駆動装置等により、回転させながら、高圧の水（液体）を噴射し、中空の円筒本体の中空の中に円筒形又は多角形の棒状の物体を通過させる事を特徴とした、高圧ノズル旋回ユニット
【請求項２】
高圧の水（液体）をノズルブロックに平均に供給する為に、回転リング内径の軸受に接する内面に溝を設け、その溝を介し各ノズルブロックに高圧水を供給する方法。
【請求項３】
回転リングの回転軸方向に対しての、高圧ノズル取り付け角度は、回転軸方向に対して垂直を０度とし、中空の円筒本体側に５度その反対旋回ノズル側に６０度の間を、高圧ノズル取付角度とする。
【請求項４】
高圧ノズル取り付け距離位置は、リング回転軸中心を通過する物体の表面より、高圧ノズル端面までの距離を２０ｍｍ以上４００ｍｍ以内を、高圧ノズル取り付け距離位置とする。
【発明の詳細な説明】
【技術分野】
【０００１】この発明は、円筒の中空の中を通過する物体、ゴボウ、大根、人参等の洗浄、皮むきに関する。
【背景技術】
【０００２】装置的には、ゴボウ、大根、人参等をバケット及びコンベアー上に置き、高圧水を用い、直噴ノズルを搖動、あるいは往復運動させて、高圧水を噴射し洗浄、皮むきを行っている。
【発明の開示】
【発明が解決しようとする課題】
【０００３】上記の方法では、洗浄、皮むき等が１回の噴射工程では完璧に洗浄、皮むき等が行えず数回、噴射位置を変えたり、向きを変えて、行っているのが実情である。その事により大量の水、エネルギーを消費している。【０００４】この発明の目的は、１回ユニット中心内部を通過する事により、円筒又は多角形の棒状の物体の表面の洗浄を行い、そして根菜であるゴボウ、人参等は、洗浄、皮むき作業が一回の通し貫けで完了出来、水、エネルギーの節約が望める、高圧ノズル旋回ユニットを提供することにある。
【課題を解決するための手段】
【０００５】本発明は、上記の目的を達成するために、高圧ノズルを回転するリング状の円盤の外周に近い端面上に、ノズル取り付けブロックを介し、リングが回転する中心方向に向け、軸方向に対しては、ある角度を付け、傾け、複数個、取り付け、高圧水を噴射しながら、高圧ノズルが、旋回しているユニットである。
【発明の効果】本発明の高圧ノズル旋回ユニットを高圧洗浄機等に使用すれば、高圧ノズル自身が旋回し、複数ノズルの先端より噴射される旋回する噴流の交差する旋回中心位置において旋回軸方向に、物体を通過させれば、物体の表面をくまなく高圧の噴流が当たる事に成り、多くの分野での使用が期待できる。野菜産業の分野においては、根菜であるゴボウ、人参、大根などの洗浄、皮むきなどが、現在用いているノズル揺動式、又は手作業による労苦を和らげる事が出来る、水資源、省エネルギーをも期待できる。
【発明を実施するための最良の形態】
【０００６】図１において、中空の円筒本体３Ａに回転リング７Ａ、高圧ノズル９Ａの付いている側を、出口側、反対側を入り口側と定義します。高圧水は中空の円筒本体３Ａの高圧水入り口の給水ポート４Ａ二ケ所より供給され、円筒本体３Ａ内部の穴を通り、軸受け１１Ａにあけてある穴を通り、リンク状の円盤回転リング７Ａの溝に供給され、その溝よりノズルブロック７Ａ通り各高圧ノズル９Ａに分配される。溝を設ける事により高圧水を、回転リング７Ａ高速に回転させても、安定的に高圧ノズル９Ａへ送れる。【０００７】旋回している複数の高圧ノズル９Ａより噴射される噴流は旋回の中心に向かい、ある位置にて衝突し合っている、入り口側より、中空の円筒本体３Ａの中空の部分に、ゴボウ等円筒状の物体を送り込むと、旋回している噴流の中に入ってしまう。高圧ノズル９Ａの噴射角度を旋回軸に対して垂直（０度）にすれば、円筒状の物体は、その位置に留まり、同じ所に噴流を受け続けてしまい、又高圧ノズルの噴射角度を、出口側の方向に１５度、又は３０度と傾け、角度の付いた旋回噴流を物体に当てると、旋回軸出口方向に噴流による分力が発生し、軽い物であれば、旋回噴流を受けながら、出口方向へ移動するので、ノズルの取付け角度は高圧ノズル旋回式にとって重要な要素である。【０００８】高圧ノズル旋回式において、旋回する高圧ノズル９Ａより大気圧中に噴射された噴流は、ノズル中では圧力が高く、流速が遅い状態のものが、一気に圧力エネルギーが、速度エネルギーに変換される状態なので、高圧ノズル９Ａ出口端面より物体までの距離によって噴流の衝撃エネルギーが変化するので、ノズルを物体から適正な距離に（２０ｍｍから４００ｍｍの間）取付ける事により最大の効果を期待できる。【０００９】回転リング７Ａに支柱６Ａを介し、取付てあるスプロケットホイール５Ａにチェーンを使用し外部の駆動装置より、回転をあたえ回転リング７Ａを回転させ、高圧ノズル９Ａを旋回させる。【００１０】回転リング７Ａと軸受け１１Ａ部分の高圧水の液漏れ対策には、パッキン、ゴムシール等とは、使用しない。しかし僅かな隙間より噴出する水流は危険であるので、図３の軸受け１１Ａの側面にリング状の溝を造り、溝の底面より複数の穴を、軸受け１１Ａの取付け面である、円筒本体３Ａのフランジ部を突き抜ける、穴を明けておく。高圧の漏れた水はその穴より、緩やかに排出される、同様な方法を押さえ板１０Ａにも用いる。【００１１】上記の穴より、漏れ出る水の量を調べれば、軸受け等の磨耗度を知る事が出来る。軸受け１１Ａ、押さえ板１０Ａの材質は砲金又はテフロンを使用する。他の構成部品はＳＵＳ３０４又はＳＵＳ３１６とする。
【図面の簡単な説明】
【００１２】
【図１】この発明の側面の断面図である。
【図２】正面図である。
【図３】軸受けの正面図である。
【符号の説明】
【００１３】１Ａ  取付け板
２Ａ  支え板
３Ａ  円筒本体
４Ａ  給水ポート
５Ａ  スプロケットホイール
６Ａ  支柱
７Ａ  回転リング
８Ａ  ノズルブロック
９Ａ  高圧ノズル
１０Ａ  押さえ板
１１Ａ  軸受け
１２Ａ  チェーン
【図１】
2006340700.tif 000003
【図２】
2006340700.tif 000004
【図３】
2006340700.tif 000005